(57)【要約】【課題】ガタ付きを抑えてＦＯＴの位置を安定させ、これにより回路基板に対する作業性の向上を図ることを可能とする光モジュールを提供する。【解決手段】各ＦＯＴ６を保持・固定した状態のＦＯＴケース３２をシールドケース３３の下側開口部４３からこの内部へ差し込んでいく。すると、ＦＯＴケース３２の各弾性部３９がシールドケース３３の上壁４４の内面に接触して弾性変形する。さらに、ＦＯＴケース３２の差し込みを続けると、ＦＯＴケース３２及びシールドケース３３の各係止部３８及び係止部４８が引っ掛かり合って係止状態が形成される。各弾性部３９は、弾性変形によってＦＯＴケース３２を離脱方向に付勢する力を生じさせることから、ＦＯＴケース３２及びシールドケース３３の各係止部３８及び４８には、各弾性部３９からの付勢力が掛かって嵌合ガタが吸収される。【選択図】図１
2008065314.tif 000002
【特許請求の範囲】
【請求項１】
発光素子及び／又は受光素子を有するＦＯＴ（Fiber Optic Transceiver ）と、該ＦＯＴを保持するＦＯＴケースと、これらを覆いシールドを施すシールドケースとを備える光モジュールにおいて、
前記シールドケースを、上壁及び下側開口部を有する構造とするとともに、前記下側開口部から前記上壁へ向けて前記ＦＯＴケースを差し込み覆う構造とする一方、
前記ＦＯＴケースに、前記シールドケースの前記上壁内面に接触して前記シールドケースから離脱する方向に付勢力を生じさせる弾性部を形成し、
さらに、前記ＦＯＴケース及び前記シールドケースに、前記離脱する方向での引っ掛かり合いとなる係止部をそれぞれ形成する
ことを特徴とする光モジュール。
【請求項２】
請求項１に記載の光モジュールにおいて、
前記弾性部を、前記ＦＯＴの数及び位置に合わせて形成配置する
ことを特徴とする光モジュール。
【請求項３】
請求項１又は請求項２に記載の光モジュールにおいて、
前記シールドケースの前記上壁を蓋状に形成し、該上壁の縁部には凸片部を有する片状の差し込み片を形成し、前記シールドケースの側壁の上壁側縁部には前記差し込み片が差し込まれる切り欠き部を形成し、該切り欠き部には前記上壁が前記上壁側縁部から離れようとすると前記凸片部が当接する凹部を形成する
ことを特徴とする光モジュール。
【発明の詳細な説明】
【技術分野】
【０００１】
本発明は、電子部品をシールド部品で覆い回路基板に取り付ける電子部品モジュールに関し、詳しくは、光コネクタやハイブリッドコネクタなどの光モジュール、ピッグテール型の光モジュールに関する。
【背景技術】
【０００２】
下記特許文献１に開示されたピッグテール型の光モジュールについて以下、説明をする。図５（ａ）において、ピッグテール型の光モジュール１は、図示しない光コネクタ部と、回路基板２に接続固定される受発光部３と、一端がコネクタ部に接続され他端が受発光部３に接続される中継用の光ファイバ４、４と、この光ファイバ４、４を保持し受発光部３に対して余計な力が加わらないようにするための光ファイバ保持部品５とを備えて構成されている。
【０００３】
図５（ｂ）において、受発光部３は、発光素子を有する発光側ＦＯＴ（Fiber Optic Transceiver ）及び受光素子を有する受光側ＦＯＴ（図中では一つしか図示してないがこれらをＦＯＴ６とする）と、ＦＯＴ６を固定するためのＦＯＴケース７と、ＦＯＴ６及びＦＯＴケース７を覆って電磁ノイズ対策を施すシールドケース８とを備えて構成されている。ＦＯＴ６は、樹脂モールドされたパッケージ部９と、複数のリードフレーム１０とを有している。リードフレーム１０は、特に図示しないが４本あり、横一列に並んだ配置となっている（二つのＦＯＴ６によって、図中では８本横一列に並んでいる）。リードフレーム１０は、各々、回路基板２の接続用の穴に差し込まれて半田付けされ、所望の回路と接続されるようになっている。
【０００４】
ＦＯＴケース７は、ＦＯＴ６のパッケージ部９を固定する固定部１１と、各リードフレーム１０を差し込んで固定するリードフレーム固定部１２とを有している。尚、詳細に図示しないが、ＦＯＴケース７における引用符号１３で示す部分（光ファイバ接続筒部１３）には、光ファイバ４の前記他端が固定されてこの他端がＦＯＴ６の素子に対向するような構造になっている。固定部１１の前面には、凹状の係止部１４が形成されている。リードフレーム固定部１２は、櫛歯状の形状に形成されている。
【０００５】
ＦＯＴ６は、各リードフレーム１０がリードフレーム固定部１２によって固定され、また、ＦＯＴ６は、パッケージ部９の上部及び左右両側が固定部１１の上壁及び側壁、隔壁によって囲まれるような状態で固定されるようになっている。
【０００６】
シールドケース８は、箱状となる形状に形成されている。この箱状となる形状の部分は、上下に開口部を有しており、ＦＯＴ６を固定したＦＯＴケース７を上側開口部から内部に差し込んだ後に蓋部１５で覆うような構造になっている。蓋部１５は、上側開口部の縁部に連成されており、折り曲げを施すと上側開口部を覆うことができるような構造になっている（引用符号１６は蓋部１５の折り曲げ部分を示している。また、引用符号１７は蓋部１５を係止する係止部分を示している）。シールドケース８の内部に差し込まれたＦＯＴケース７は、シールドケース８の小さな板バネ状の係止部１８がＦＯＴケース７の凹状の係止部１４に引っ掛かることにより係止されるようになっている。
【０００７】
前記箱状となる形状の部分には、ピン状の基板接続部１９、２０、２１が形成されている。この基板接続部１９、２０、２１は、下側開口部の縁部に形成されており、ＦＯＴ６の複数のリードフレーム１０と同様、各々、回路基板２に差し込まれて半田付けされ、これにより接続固定されるようになっている。前記箱状となる形状の部分には、ＦＯＴ６のパッケージ部９の背面を押圧してこのＦＯＴ６を保持する押圧部２２、２２が形成されている（一つのみ図示）。
【特許文献１】特開２００５−９１４１６号公報
【発明の開示】
【発明が解決しようとする課題】
【０００８】
ところで、上記従来技術にあっては、シールドケース８の係止部１８とＦＯＴケース７の係止部１４との引っ掛かり合いによって、ＦＯＴ６を固定したＦＯＴケース７がシールドケース８に係止されるような構造になっている。シールドケース８の係止部１８とＦＯＴケース７の係止部１４との引っ掛かり合いを生じさせるためには、構造上、係止部１４及び１８にガタ（嵌合ガタ）を持たせたりする必要があることから、いくら押圧部２２によってＦＯＴ６を押圧し保持するようにしても、前記ガタに起因してＦＯＴ６を固定したＦＯＴケース７の位置がズレてしまうという恐れを有している。このような位置ズレに関しては、シールドケース８の下側開口部から突出するリードフレーム１０の長さが所望の長さと異なってしまうことにつながり、回路基板２に対する接続作業性等に影響を来してしまうという問題点を有することになる。
【０００９】
尚、対策として、シールドケース８の上側開口部を蓋する際に、ＦＯＴケース７の固定部１１を蓋部１５によって押圧する構造を考えてみたが、次のような結果が得られている。すなわち、蓋部１５は、折り曲げ部分１６で折り曲げてこの折曲部分１６から離れる係止部分１７にて係止がなされる構造であることから、係止部分１７の近傍では固定部１１を良好に押圧できるものの、折曲部分１６の近傍では押圧する力が十分に得られず、上記問題点の解消になり得ないという結果が得られている。
【００１０】
本発明は、上述した事情に鑑みてなされたもので、ガタ付きを抑えてＦＯＴの位置を安定させ、これにより回路基板に対する作業性の向上を図ることを可能とする光モジュールを提供することを課題とする。
【課題を解決するための手段】
【００１１】
上記課題を解決するためになされた請求項１記載の本発明の光モジュールは、発光素子及び／又は受光素子を有するＦＯＴ（Fiber Optic Transceiver ）と、該ＦＯＴを保持するＦＯＴケースと、これらを覆いシールドを施すシールドケースとを備える光モジュールにおいて、前記シールドケースを、上壁及び下側開口部を有する構造とするとともに、前記下側開口部から前記上壁へ向けて前記ＦＯＴケースを差し込み覆う構造とする一方、前記ＦＯＴケースに、前記シールドケースの前記上壁内面に接触して前記シールドケースから離脱する方向に付勢力を生じさせる弾性部を形成し、さらに、前記ＦＯＴケース及び前記シールドケースに、前記離脱する方向での引っ掛かり合いとなる係止部をそれぞれ形成することを特徴としている。
【００１２】
このような特徴を有する本発明によれば、ＦＯＴを保持した状態のＦＯＴケースをシールドケースの下側開口部からこの内部へ差し込んでいくと、ＦＯＴケースの弾性部がシールドケースの上壁内面に接触して弾性変形する。さらに、ＦＯＴケースの差し込みを続けると、ＦＯＴケース及びシールドケースの各係止部同士が引っ掛かり合って係止状態が形成される。この時、弾性部はＦＯＴケースを離脱方向に付勢する力を生じさせることから、ＦＯＴケース及びシールドケースの各係止部同士には、弾性部からの付勢力が掛かって嵌合ガタが吸収される（ガタ付きがなくなる）。本発明によれば、シールドケース内のＦＯＴケースのガタ付きが抑えられる。また、シールドケースの下側開口部から突出するＦＯＴのリードフレームの長さが所望の長さになる。従って、この後の回路基板に対する接続作業を容易に行うことが可能になる。
【００１３】
請求項２記載の本発明の光モジュールは、請求項１に記載の光モジュールにおいて、前記弾性部を、前記ＦＯＴの数及び位置に合わせて形成配置することを特徴としている。
【００１４】
このような特徴を有する本発明によれば、ＦＯＴが複数存在する場合であっても偏りが起こらずにＦＯＴケース及びシールドケースの各係止部同士が引っ掛かり合う。すなわち、引っ掛かり合いの状態が安定する。
【００１５】
請求項３記載の本発明の光モジュールは、請求項１又は請求項２に記載の光モジュールにおいて、前記シールドケースの前記上壁を蓋状に形成し、該上壁の縁部には凸片部を有する片状の差し込み片を形成し、前記シールドケースの側壁の上壁側縁部には前記差し込み片が差し込まれる切り欠き部を形成し、該切り欠き部には前記上壁が前記上壁側縁部から離れようとすると前記凸片部が当接する凹部を形成することを特徴としている。
【００１６】
このような特徴を有する本発明によれば、ＦＯＴケースの弾性部により付勢されてもシールドケースの上壁が開いてしまうようなことはない。シールドケースの上壁の開きがなければ、シールド性能が良好となる。また、上記嵌合ガタの吸収も良好となる。
【００１７】
本発明によれば、上壁の差し込み片は側壁の切り欠き部に差し込まれることから、シールドケースの外側に突出する部分とはならず、例えばＦＯＴケースをシールドケースの内部へ差し込む際に、作業の邪魔になるようなことはない。
【発明の効果】
【００１８】
請求項１に記載された本発明によれば、ガタ付きを抑えてＦＯＴの位置を安定させることができる。従って、回路基板に対する作業性の向上を図ることができるという効果を奏する。
【００１９】
請求項２に記載された本発明によれば、偏りなくＦＯＴケース及びシールドケースの各係止部同士を係止させて、より一層ＦＯＴの位置を安定させることができる。
【００２０】
請求項３に記載された本発明によれば、ＦＯＴケースの弾性部により付勢されてもシールドケースの上壁の開きを防止することができる。また、上壁と側壁との接触を維持することができる。従って、シールドケースの上壁が開いた場合と比べてシールド性能を向上させることができるという効果を奏する。本発明によれば、作業性に配慮した形状で上壁の開きを防止することができるという効果も奏する。
【発明を実施するための最良の形態】
【００２１】
以下、図面を参照しながら説明する。図１は本発明の光モジュールの一実施の形態を示す受発光部の正面図である。また、図２（ａ）はＦＯＴケース及びシールドケースの斜視図、図２（ｂ）はシールドケースの斜視図、図２（ｃ）はＦＯＴケースの斜視図である。さらに、図３（ａ）は図２の矢印Ｓで示すシールドケースの差し込み片と切り欠き部の拡大正面図、図３（ｂ）はシールドケースの側面図、図３（ｃ）は（ａ）の変形例を示す図、図４はシールド性能の向上した状態を示すグラフである。
【００２２】
図１において、特に限定するものではないが、ピッグテール型の光モジュールは、図示しない光コネクタ部と、回路基板（図５の引用符号２参照）の所定位置に接続固定される受発光部３１と、一端がコネクタ部に接続され他端が受発光部３１に接続される中継用の光ファイバ（図５の引用符号４参照）とを備えて構成されている。受発光部３１は、発光素子を有する発光側ＦＯＴ（Fiber Optic Transceiver ）及び受光素子を有する受光側ＦＯＴ（これらをＦＯＴ６とする）と、このＦＯＴ６を保持・固定するためのＦＯＴケース３２と、ＦＯＴ６及びＦＯＴケース３２を覆って電磁ノイズ対策を施すシールドケース３３とを備えて構成されている（受発光部３１は、発光側ＦＯＴ又は受光側ＦＯＴの単独で構成しても良いものとする）。
【００２３】
本発明は、ＦＯＴケース３２及びシールドケース３３に特徴があり、これらの特徴によってガタ付きが抑えられ、ＦＯＴ６の位置が安定して、回路基板（２）に対する取り付けの際の作業性が従来よりも格段に向上するようになっている。また、本発明は、シールドケース３３の特徴によってシールド性能の向上に配慮することができるようになっている。以下、図１及び図２を参照しながらＦＯＴケース３２及びシールドケース３３について説明する（図１中のＰ方向を上下方向、Ｑ方向を左右方向、紙面に垂直なＲ方向を前後方向と定義する）。尚、ＦＯＴ６についてはパッケージ部９及び複数のリードフレーム１０を有する既知のものを用いるものとし、ここでは詳細な説明を省略する。
【００２４】
ＦＯＴケース３２は、絶縁性を有する合成樹脂材料を用いて成形してなる樹脂成形品であって、各ＦＯＴ６のパッケージ部９を収容して固定する固定部３４と、各ＦＯＴ６のリードフレーム１０を各々差し込んで固定するリードフレーム固定部３５、３５とを有している。固定部３４のパッケージ収容固定部分３６、３６及びリードフレーム固定部３５、３５は、左右方向に並ぶように配置形成されている。リードフレーム固定部３５、３５は、固定部３４の下部に連成されている。固定部３４の前面には、光ファイバ接続筒部３７、３７が突出形成されている。固定部３４及びリードフレーム固定部３５、３５は、正面視略長方形状に形成されている。
【００２５】
本形態において、既知のＦＯＴ６を用いることから、固定部３４のパッケージ収容固定部分３６、３６、リードフレーム固定部３５、３５、及び光ファイバ接続筒部３７、３７の各構造は、図５を参照しながら説明した従来例の固定部１１、リードフレーム固定部１２、及び光ファイバ接続筒部１３、１３と基本的に同じ構造になっている。
【００２６】
ＦＯＴケース３２は、固定部３４、リードフレーム固定部３５、及び光ファイバ接続筒部３７、３７の他に、係止部３８、３８と弾性部３９、３９とを有している。係止部３８、３８及び弾性部３９、３９は、本発明におけるＦＯＴケース３２の重要な部分として形成されている。
【００２７】
係止部３８、３８は、シールドケース３３との係止構造を構成する部分として形成されている。また、弾性部３９、３９は、前記係止構造におけるガタ付きを抑えるための部分として形成されている。係止部３８、３８及び弾性部３９、３９は、固定部３４に対して一体に形成されている。以下、係止部３８、３８及び弾性部３９、３９の具体的な例を説明する（一例でありこの説明及び図示に限定されないものとする）。
【００２８】
係止部３８、３８は、固定部３４の左右両側に一つずつ形成されている。各係止部３８は、上下方向に伸びるアーム部分４０と係止爪部分４１とを有している。アーム部分４０の一端は、固定部３４の側面上部に連成されている。アーム部分４０は、片持ち形状に形成されており、固定部３４の側面に近づく方向に撓むような可撓性を有している。係止爪部分４１は、アーム部分４０の他端に一体に形成されている。係止爪部分４１は、外側へ突出するような突起形状に形成されている。
【００２９】
係止爪部分４１は、特に符号を付さないが、係止部３８の先端側から順に、係止面、頂面、テーパ面を有するような突起形状に形成されている。係止面は、上下方向に直交する面として形成されている。係止面は、シールドケース３３側の後述する係止部４８に対して引っ掛かるように形成されている。係止爪部分４１は、固定部３４の側面略中央位置に合わせて配置されている。
【００３０】
弾性部３９、３９は、固定部３４の上部に形成されている。弾性部３９、３９は、これ自身が弾性変形することにより上下方向（後述する離脱方向）の付勢力が生じるような部分として形成されている。弾性部３９、３９は、本形態においてＦＯＴ６が二つあることから、各ＦＯＴ６に対応するように二つ形成されている。弾性部３９、３９は、各ＦＯＴ６の配置に合わせて形成されている（数及び配置は一例であるものとする。例えば、各ＦＯＴ６の間、すなわち固定部３４の上部略中央に弾性部を一つ形成することも可能である。弾性部により生じる付勢力が必要十分な大きさ且つ均等に係止部３８及び後述する係止部４８に作用すれば良く、特に限定はしないものとする）。
【００３１】
引用符号４２、４２は、弾性部３９、３９が撓んだ際の干渉防止のための切り欠きを示している。切り欠き４２、４２は、パッケージ収容固定部分３６、３６に連続するように形成されている。切り欠き４２、４２は、弾性部３９、３９が完全に撓んだ状態において、この内部に弾性部３９、３９が収まるような形状に形成されている。
【００３２】
弾性部３９、３９は、片持ちの板バネ形状に形成されている。この板バネ形状の弾性部３９、３９は、ＦＯＴケース３２を正面から見た場合に「ハ」字状となるように形成されている。弾性部３９、３９は、固定部３４の上部平面に対して初めから角度が付くように形成されている（ＦＯＴケース３２の成形後に例えばヒンジによって弾性部を形成することも考えられる。十分な付勢力を得ることができれば形成方法や形状は特に限定されないものとする）。
【００３３】
弾性部３９、３９の寸法管理は、弾性部３９、３９の角度にて管理する場合と、弾性部３９、３９の先端位置から係止部３８の前記係止面までの寸法にて管理する場合とが一例として挙げられる。本形態においては、後者にて寸法管理が行われている。
【００３４】
弾性部３９、３９は、シールドケース３３の内面に対して固定部３４の上部平面よりも先に接触するような形状に形成されている。弾性部３９、３９は、シールドケース３３の内面に対して引っ掛かることがないように、言い換えれば撓みが阻害されないようにするために、先端にテーパ又は曲面が形成されている。弾性部３９、３９は、スムーズに撓むように形成されている。
【００３５】
シールドケース３３は、導電性を有する金属板を打ち抜き、折り曲げ加工を施して、図示のような下側が開口する略箱状の形状に形成されている。シールドケース３３は、下側開口部４３及び上壁４４を有するとともに、左右の側壁４５、４５及び前後の側壁（前壁４６、後壁４７）を有する略箱状の形状に形成されている。シールドケース３３は、ＦＯＴ６を保持・固定した状態のＦＯＴケース３２を、下側開口部４３から上壁４４へ向けて差し込むことにより覆い、この差し込んだＦＯＴケース３２等を左右両側壁４５、４５の係止部４８、４８にて係止するような構造に形成されている。シールドケース３３においては、上壁４４及び係止部４８、４８が本発明の重要な部分になっている。
【００３６】
上壁４４は、図示の如く平坦な面を有するように形成されている。上壁４４は、図からも分かるように従来例のような後から蓋をする構造のもの（図５の蓋部１５参照）と明らかに異なっている。上壁４４は、この内面に力（弾性部３９、３９の付勢力）が加わった状態であっても変形することのないように形成されている。この変形のないことに関しては本発明の特徴の一つになっている。以下、説明をする。
【００３７】
図２において、上壁４４は、蓋状であるものの、この内面に上記力が加わった状態であっても変形することのないようにするために、図３（ａ）に示す如く（図２の矢印Ｓに相当）、上壁４４の前側の縁部５５には、一対の凸片部５６を有する片状の差し込み片５７、５７が連成されている。差し込み片５７、５７は、本形態において、上記力が加わる位置に合わせて一つずつ形成されている。差し込み片５７、５７は、本形態において、略台形状に形成されている（図３（ｃ）に示すような形状に形成しても良いものとする）。差し込み片５７、５７は、シールドケース３３の組み立ての際に折り曲げられて、側壁（前壁４６）の上壁側縁部５８に形成された切り欠き部５９、５９に差し込まれるようになっている。
【００３８】
切り欠き部５９、５９は、上壁側縁部５８を差し込み片５７、５７の形状に合わせて切り欠くことにより形成されている。切り欠き部５９、５９には、それぞれ一対の凹部６０が形成されている。この一対の凹部６０は、上壁４４が上壁側縁部５８から離れようとすると一対の凸片部５６が当接するように形成されている。差し込み片５７及び切り欠き部５９は、カギ状に引っ掛かるように形成されている。
【００３９】
尚、差し込み片５７及び切り欠き部５９がない場合を考えると、上壁４４は上壁側縁部５８から離れてしまう恐れがある。上壁４４が離れてしまうと、側壁（前壁４６）との接触がなくなり、シールド性能に支障を来してしまうことになる。しかしながら、本発明においては上壁４４が上壁側縁部５８から離れようとすると、一対の凸片部５６が一対の凹部６０に当接することから、上壁４４及び側壁（前壁４６）は常に接触した状態になる。接触した状態が確保されれば、仮に上壁４４が開いてしまった場合と比べると、シールド性能は向上する。シールド性能が向上することに関しては、図４のグラフに結果が示されている。
【００４０】
差し込み片５７は、切り欠き部５９に差し込まれることから、図３（ｂ）の楕円部分に示す如く、側壁（前壁４６）から突出することはない。従って、例えばＦＯＴケース３２をシールドケース３３の内部へ差し込む際に邪魔になるようなことはない。
【００４１】
上壁４４は、シールドケース３３の組み立ての際に上壁側縁部５８に向けて折り曲げられ、この後に、差し込み片５７を折り曲げて切り欠き部５９に差し込むことにより開きが防止されるようになっている。
【００４２】
開き防止に関して、開きが生じる側に差し込み片５７が形成されるものとする。上記の配置や数は一例であるものとする。尚、本形態のように、上壁４４に弾性部３９の力が作用する場合には適用できないが、仮に側壁（前壁４６）が前方向に開くようであれば、この側壁（前壁４６）に差し込み片５７が形成され、上壁４４には切り欠き部５９が形成されるものとする。
【００４３】
係止部４８、４８は、側壁４５、４５の略中央位置に配置形成されている。係止部４８、４８は、側壁４５、４５を矩形に貫通するように形成されている。係止部４８、４８は、ＦＯＴケース３２の係止部３８、３８に形成される係止爪部分４１、４１の形状に合わせて形成されている。係止部４８、４８に生じる肉厚部分において、引用符号４９、４９で示す部分は係止面となっている。この係止面４９は、係止爪部分４１、４１の係止面を引っ掛けて係止状態を形成するようになっている。係止面同士は、後述する離脱方向での引っ掛かり合いとなるように配置形成されている。
【００４４】
シールドケース３３の前壁４６には、この内部に差し込まれるＦＯＴケース３２の各光ファイバ接続筒部３７、３７を通過させるための略Ｕ字状のスリット５０、５０が形成されている。各スリット５０、５０は、この一部が光ファイバ接続筒部３７、３７の基端部分に形成される溝部５１、５１に差し込まれるように形成されている。
【００４５】
シールドケース３３の下側開口部４３には、ピン状の基板接続部５２、５３、５４が形成されている。基板接続部５２、５３、５４は、図５を参照しながら説明した従来例の基板接続部１９、２０、２１と同じに形成配置されている。シールドケース３３の後壁４７には、ＦＯＴ６のパッケージ部９の背面を押圧してこのＦＯＴ６を保持する押圧部（図示省略）が形成されている。
【００４６】
次に、以上の構成及び構造に基づきながら受発光部３１の組み付け作業、及び本発明の要部の作用について説明する。
【００４７】
受発光部３１の組み付け作業は、各ＦＯＴ６をＦＯＴケース３２に保持・固定する第一工程と、各ＦＯＴ６を固定した状態のＦＯＴケース３２をシールドケース３３に係止・固定する第二工程とを順に経ることにより行われる。
【００４８】
もう少し具体的に説明すると、第一工程では、各ＦＯＴ６のパッケージ部９がＦＯＴケース３２の各固定部３４のパッケージ収容固定部分３６に圧入状態で保持・固定されるとともに、各ＦＯＴ６のリードフレーム１０が各々、櫛歯形状の各リードフレーム固定部３５に差し込まれて保持・固定される。各ＦＯＴ６は、ＦＯＴケース３２においてガタ付きなく保持・固定される。
【００４９】
第一工程では、各ＦＯＴ６がガタ付きなく保持・固定されて、この結果、ＦＯＴケース３２との位置決めがなされる。各ＦＯＴ６は、次の第二工程でシールドケース３３におけるＦＯＴケース３２の位置が決まれば、これによって受発光部３１での位置が決まる。
【００５０】
第二工程では、各ＦＯＴ６を保持・固定した状態のＦＯＴケース３２をシールドケース３３の下側開口部４３からこの内部へ差し込んでいく。すると、ＦＯＴケース３２の各弾性部３９がシールドケース３３の上壁４４の内面に接触して弾性変形する。さらに、ＦＯＴケース３２の差し込みを続けると、ＦＯＴケース３２及びシールドケース３３の各係止部３８及び係止部４８が引っ掛かり合って係止状態が形成される。
【００５１】
この時、各弾性部３９は、弾性変形によってＦＯＴケース３２を離脱方向（差し込みとは逆の方向。図中の下方向の矢印参照）に付勢する力を生じさせることから、ＦＯＴケース３２及びシールドケース３３の各係止部３８及び４８には、各弾性部３９からの付勢力が掛かって嵌合ガタが吸収される（図中上方への移動が規制されてガタ付きがなくなる）。ＦＯＴケース３２及びシールドケース３３の係止状態が形成されると、シールドケース３３におけるＦＯＴケース３２の位置が決まり、結果、受発光部３１での各ＦＯＴ６の位置が決まる。
【００５２】
第二工程を経て組み付けが完了し図１に示す如くの受発光部３１が得られると、シールドケース３３から突出する各ＦＯＴ６のリードフレーム１０の長さは所望の長さに一致する（図１に示す如くリードフレーム１０の長さがシールドケース３３の基板接続部５２、５３、５４と同じ長さになる）。
【００５３】
従って、この後の回路基板（図５の引用符号２参照）に対する接続作業が容易に行われる（本形態では、リードフレーム１０等の先端位置が皆同じであることから、回路基板２への差し込みが容易である。また、ガタ付きが抑えられていることから、回路基板２への差し込み前や差し込み最中に意図しない移動が防止される）。本発明によれば、従来よりも格段に作業性が向上することになる。
【００５４】
その他、本発明は本発明の主旨を変えない範囲で種々変更実施可能なことは勿論である。
【図面の簡単な説明】
【００５５】
【図１】本発明の光モジュールの一実施の形態を示す受発光部の正面図である。
【図２】（ａ）はＦＯＴケース及びシールドケースの斜視図、（ｂ）はシールドケースの斜視図、（ｃ）はＦＯＴケースの斜視図である。
【図３】（ａ）は図２の矢印Ｓで示すシールドケースの差し込み片と切り欠き部の拡大正面図、（ｂ）はシールドケースの側面、（ｃ）は（ａ）の変形例を示す図である。
【図４】シールド性能の向上した状態を示すグラフであり、（ａ）は上壁が開かず差し込み片と切り欠き部とが接触した時の状態（本発明に相当）を示すグラフ、（ｂ）は上壁が開いた時の状態を示すグラフ、（ｃ）はバックグラウンド（不動作時）の状態を示すグラフである。
【図５】従来例の光モジュールの図であり、（ａ）は受発光部の斜視図、（ｂ）は受発光部の断面図である。
【符号の説明】
【００５６】
６  ＦＯＴ
９  パッケージ部
１０  リードフレーム
３１  受発光部
３２  ＦＯＴケース
３３  シールドケース
３４  固定部
３５  リードフレーム固定部
３６  パッケージ収容固定部分
３７  光ファイバ接続筒部
３８  係止部
３９  弾性部
４０  アーム部分
４１  係止爪部分
４２  切り欠き
４３  下側開口部
４４  上壁
４５  側壁
４６  前壁
４７  後壁
４８  係止部
４９  係止面
５０  スリット
５１  溝部
５２〜５４  基板接続部
５５  縁部
５６  凸片部
５７  差し込み片
５８  上壁側縁部
５９  切り欠き部
６０  凹部
【図１】
2008065314.tif 000003
【図２】
2008065314.tif 000004
【図３】
2008065314.tif 000005
【図４】
2008065314.tif 000006
【図５】
2008065314.tif 000007